(57)【要約】      （修正有）【課題】トーチバーナを取り付けたスチール缶のカセットガスボンベを簡単に着脱でき、カセットガスボンベの直立状態を安定して保持できるトーチバーナ載置台板を提供する。【解決手段】トーチバーナ載置台板１は、トーチバーナ１１を取り付けた円筒状のスチール缶からなるカセットガスボンベ１２を直立状態で表面に載せる四角形平板状の樹脂製のプレート２と、プレート２の裏面においてカセットガスボンベ１２の底面形状に対応する円周を含む位置に間隔を空けて配設され、カセットガスボンベ１２の底面１３を磁気吸着して直立状態を保持させる複数のボタン型磁石と、プレート２の裏面に形成され、ボタン型磁石を取り出し不能に収容する複数の磁石収容部４と、プレート２の裏面の四つ角部に磁石収容部４の高さと同じか又はそれ以上の高さを有して形成されている４つの脚部５とを備える。【選択図】図１
0003219309.tif 000002
【実用新案登録請求の範囲】
【請求項１】
トーチバーナを取り付けた円筒状のスチール缶からなるカセットガスボンベを直立状態で表面に載せる四角形平板状の樹脂製のプレートと、
前記プレートの裏面においてカセットガスボンベの底面形状に対応する円周を含む位置に間隔を空けて配設され、カセットガスボンベの底面を磁気吸着して直立状態を保持させる複数のボタン型磁石と、
前記プレートの裏面に形成され、前記ボタン型磁石を取り出し不能に収容する複数の磁石収容部と、
前記プレートの裏面の四つ角部に前記磁石収容部の高さと同じか又はそれ以上の高さを有して形成されている４つの脚部とを備えるトーチバーナ載置台板。
【請求項２】
請求項１に記載のトーチバーナ載置台板において、
前記複数のボタン型磁石は、少なくとも、前記プレートの対向二辺のうち、一辺側の両端部付近に配設された２つのボタン型磁石と、他辺側の中央部に配設された１つのボタン型磁石とで構成されているトーチバーナ載置台板。
【請求項３】
請求項１又は２に記載のトーチバーナ載置台板において、
前記プレートは、表面が細かい凹凸形状のエンボス面とされ、裏面にはプレート中心部に交点部を配置するＹ字状の厚肉部が形成され、裏面の外周部分には前記脚部よりも高さの低い縁部が前記脚部と連続して形成されているトーチバーナ載置台板。
【考案の詳細な説明】
【技術分野】
【０００１】
本考案は、スチール缶からなるカセットガスボンベにトーチバーナを取り付け、主にクッキングバーナとして使用されるトーチバーナ器具を調理台上で直立状態に安定して保持させるトーチバーナ載置台板に関する。
【背景技術】
【０００２】
例えば、寿司の炙りのように食材に焦げ目を付けるのに、カセットガスボンベにトーチバーナを取り付けたクッキングバーナが用いられている。このクッキングバーナ１０は、円筒状のスチール缶からなるカセットガスボンベ１２に対して頭部のトーチバーナ１１が横方向に延びていて重心のバランスが悪く簡単に転倒するおそれがある（図４参照）。従来、図４に示すように、このクッキングバーナ１０が簡単に倒れないように調理台２０上で安定して直立させるためにカセットガスボンベ１２の底部に嵌め込む樹脂製の安定プレート１００が提供されている。この安定プレート１００は、図５に示すように、上面に凹部１０１が設けられ、凹部１０１の内壁面に３つの爪部１０２が設けられたものであり、この凹部１０１内にカセットガスボンベ１２の底部を挿入して爪部１０２に係合させるようにする。
【先行技術文献】
【特許文献】
【０００３】
【特許文献１】実開昭６０−３４２００号公報
【考案の概要】
【考案が解決しようとする課題】
【０００４】
上記安定プレート１００では、カセットガスボンベ１２の底部を凹部１０１の爪部１０２に確実に係合させるにはカセットガスボンベ１２を凹部１０１内へしっかり押し込む必要があり、カセットガスボンベ１２の取り付けや取り外しが面倒であった。また、凹部１０１内へのカセットガスボンベ１２の押し込みが不十分であるとカセットガスボンベ１２の底部が爪部１０２に係合していない状態となり、この状態では軽く当たっただけでクッキングバーナ１０が簡単に転倒してしまうおそれがあった。
【０００５】
本考案は、以上の事情に鑑みてなされたものであり、トーチバーナを取り付けたスチール缶からなるカセットガスボンベを簡単に着脱させることができ、且つカセットガスボンベの直立状態を安定して保持させることができるトーチバーナ載置台板を提供することを目的とする。
【課題を解決するための手段】
【０００６】
本考案に係るトーチバーナ載置台板は、
トーチバーナを取り付けた円筒状のスチール缶からなるカセットガスボンベを直立状態で表面に載せる四角形平板状の樹脂製のプレートと、
前記プレートの裏面においてカセットガスボンベの底面形状に対応する円周を含む位置に間隔を空けて配設され、カセットガスボンベの底面を磁気吸着して直立状態を保持させる複数のボタン型磁石と、
前記プレートの裏面に形成され、前記ボタン型磁石を取り出し不能に収容する複数の磁石収容部と、
前記プレートの裏面の四つ角部に前記磁石収容部の高さと同じか又はそれ以上の高さを有して形成されている４つの脚部とを備えるものである。
【考案の効果】
【０００７】
本考案に係るトーチバーナ載置台板によれば、プレートの裏面に設けたボタン型磁石によってスチール缶からなるカセットガスボンベの底面を磁気吸着させることにより、カセットガスボンベの着脱を簡単に行うことができ、しかも、カセットガスボンベを調理台上で直立状態を安定して保持させることができる。
【図面の簡単な説明】
【０００８】
【図１】実施形態のトーチバーナ載置台板にトーチバーナ器具のカセットガスボンベを載せて直立状態に保持させている状態を示す側面図である。
【図２】実施形態のトーチバーナ載置台板の表面（同図（Ａ））、裏面（同図（Ｂ））をそれぞれ示す平面図である。
【図３】磁石収容部の構造を示す断面図である。
【図４】従来例の安定プレートにトーチバーナ器具のカセットガスボンベの底部を嵌め込んで直立状態に保持させている状態を示す側面図である。
【図５】従来例の安定プレートの構造を示す上面図である。
【考案を実施するための形態】
【０００９】
本考案の実施形態に係るトーチバーナ載置台板１は、トーチバーナ器具１０を調理台２０上で直立状態に安定して保持させるものである。トーチバーナ器具１０としては、円筒状のスチール缶からなるカセットガスボンベ１２にトーチバーナ１１を取り付けたものであり、例えば、寿司の炙りのように食材に焦げ目を付けるクッキングバーナが例示される。
【００１０】
図１、図２に示すように、実施形態のトーチバーナ載置台板１は、四角形平板状のプレート２と、このプレート２の裏面に設けた複数のボタン型磁石３とを備えている。このトーチバーナ載置台板１は、調理台２０の任意の位置に置いてプレート２の表面上にトーチバーナ１１を取り付けたスチール缶のカセットガスボンベ１２を直立状態に載せると、プレート２の裏面の複数のボタン型磁石３がカセットガスボンベ１２の底面１３を磁気吸着してカセットガスボンベ１２を直立状態に安定して保持させるというものである。
【００１１】
プレート２は、ＡＢＳ、ＰＰ等の樹脂製であり、射出成形等により形成することができる。このプレート２は、略正方形に形成され、１本のカセットガスボンベ１２を載置させるのに丁度収まる大きさに形成されている。
【００１２】
ボタン型磁石３は、プレート２の裏面に３つ取り付けられているが、複数取り付けられていればよく、２つでもよいし、４つ以上取り付けるようにしてもよい。このボタン型磁石３としては、例えば、強力な磁力を有するネオジウム磁石が使用される。これら３つのボタン型磁石３は、カセットガスボンベ１２の円形の底面形状に対応する円周１３ａ線上を含む位置に間隔を空けて配設され、カセットガスボンベ１２を磁気吸着して直立状態に保持させる。すなわち、カセットガスボンベ１２の底面１３は、通常、内側に凹んでいるため、この底面１３の外周線上の位置に各ボタン型磁石３が配置されることにより、カセットガスボンベ１２の底面１３を確実に磁気吸着することができる。
【００１３】
具体的に、３つのボタン型磁石３は、プレート２の対向二辺のうち、一辺側の両端部付近に２つ配設され、他辺側の中央部に１つ配設される。この場合、プレート２は、１本のカセットガスボンベ１２を載置させるのに丁度収まる大きさの略正方形に形成されているから、３つのボタン型磁石３は、略正方形形状のプレート２の範囲内においてカセットガスボンベ１２の底面１３形状に対応する円周１３ａの線上を含む位置に必ず配設される。これにより、カセットガスボンベ１２の底面１３がプレート２の範囲内に収まるようにカセットガスボンベ１２をプレート２上に立たせると、裏面側の３つのボタン型磁石３によってカセットガスボンベ１２の底面１３を確実に磁気吸着することができる。従って、カセットガスボンベ１２が簡単に倒れないように調理台２０上で安定して直立保持させることができる。
【００１４】
各ボタン型磁石３は、プレート２の裏面に形成され磁石収容部４によって取り出し不能に収容されている。すなわち、図３に示すように、磁石収容部４は、プレート２の裏面に一体形成された円筒部４１と、円形の蓋部４２とを有し、円筒部４１内にボタン型磁石３を嵌め込み、この円筒部４１に蓋部４２を接着剤で接着して蓋をした構成とする。
【００１５】
プレート２の表面は、細かい凹凸からなるエンボス面２ａとされており、プレート２上のガスボンベ１２に対して滑り止め効果を発揮させる。これにより、トーチバーナ載置台板１上に配置したトーチバーナ器具１０に物や手などが当たってもガスボンベ１２がプレート２上から位置ズレずることなくボタン型磁石３による磁気吸着状態を保持させることができる。
【００１６】
プレート２の裏面の四つの角部には、同じ高さの脚部５がプレート２と一体形成されている。このようにプレート２の四つ角部に脚部５を形成することにより、各脚部５間には隙間６が設けられる。これにより、トーチバーナ載置台板１を磁石が吸着するステンレス製の調理台２０に置いた場合でも、脚部５間の隙間６に指先を引っ掛けて調理台２０からトーチバーナ載置台板１を容易に引き離して移動等させることができる。また、４つの脚部５の高さは、磁石収容部４の高さと同じ高さに形成してもよいが、磁石収容部４の高さよりも少し高く形成するのが好ましい。この場合、ステンレス製の調理台２０にトーチバーナ載置台板１を置いた場合、調理台２０へのボタン型磁石３からの磁気吸着力を抑え、この調理台２０からトーチバーナ載置台板１を引き離す際に磁力により磁石収容部４の蓋部４２が外れて内部のボタン型磁石３が調理台２０上に吸着して脱落することを防止できる。
【００１７】
各ボタン型磁石３は、Ｎ極Ｓ極の磁極の向きを同じ向きにして配設されるのが好ましい。これにより、複数枚のトーチバーナ載置台板１を表面と裏面とを同じ向きに揃えて積み重ねることで上下のトーチバーナ載置台板１のボタン型磁石３が磁気吸着し合って崩れ落ちることがなく未使用時には調理台２０の脇に省スペースに配置させることができ、また、表裏の面がわかり易く使用時には間違いなく表面側を上向きにして調理台２０に配置することができる。
【００１８】
以上のように、実施形態のトーチバーナ載置台板１によれば、調理台２０の任意の位置に置いたトーチバーナ載置台板１の上にトーチバーナ器具１０におけるスチール缶のカセットガスボンベ１２を載せるだけでボタン型磁石３の磁力によってカセットガスボンベ１２の底面１３が磁気吸着されてカセットガスボンベ１２を直立状態に安定して保持させることができる。調理台２０がステンレス製の場合は、調理台２０をもボタン型磁石３が磁気吸着することから、調理台２０の所定位置にカセットガスボンベ１２を直立状態に一層安定して保持させることができる。また、トーチバーナ載置台板１からカセットガスボンベ１２を取り外す場合は、一方の手でトーチバーナ載置台板１を上から押さえ、もう一方の手でカセットガスボンベ１２を持ち上げると、トーチバーナ載置台板１からカセットガスボンベ１２を簡単に取り外すことができる。調理台２０がステンレス製の場合は、調理台２０をもボタン型磁石３が磁気吸着しているので、トーチバーナ載置台板１上に手を添えることなくカセットガスボンベ１２を持ち上げるだけでカセットガスボンベ１２だけを引き離すことも可能となる。このように、実施形態のトーチバーナ載置台板１によれば、トーチバーナ器具１０におけるスチール缶からなるカセットガスボンベ１２を載せるだけでその直立状態を安定して保持させることができ、しかも、カセットガスボンベ１２を簡単に着脱させることができるという効果が発揮される。
【００１９】
また、プレート２の裏面にはプレート中心部に交点部を配置したＹ字状の厚肉部７がプレート２と一体形成され、さらにプレート２の裏面の外周部分には全周にわたって縁部８が四つ角部の脚部５と連続してプレート２と一体形成されている。これにより、プレート２の強度が強化され、プレート２に対してガスボンベ１２が強く押し付けられる等してもプレート２が簡単に破損することもない。
【００２０】
なお、本考案は、以上の実施形態のみに限定されず、実用新案登録請求の範囲内で必要に応じて変更することが可能である。
【符号の説明】
【００２１】
１  トーチバーナ載置台板
２  プレート
２ａ  エンボス面
３  ボタン型磁石
４  磁石収容部
５  脚部
６  隙間
７  厚肉部
８  縁部
１０  トーチバーナ器具
１１  トーチバーナ
１２  カセットガスボンベ
１３  底面
１３ａ  円周
２０  調理台
４１  円筒部
４２  蓋部
【図１】
0003219309.tif 000003
【図２】
0003219309.tif 000004
【図３】
0003219309.tif 000005
【図４】
0003219309.tif 000006
【図５】
0003219309.tif 000007